(57)【要約】【課題】袋本体をスムーズに良好な状態で開封でき、かつ、食品を手で持たずに、包装袋の一部に載せて賞味することができる包装袋を提供する。【解決手段】袋本体２の側壁３が、両側部３１，３２で互いに接合される表面材５と裏面材６からなり、その表面材５と裏面材６の内側に、カットテープ４が貼り付けられ、開封端となるカットテープ４の一端側では、表面材５にのみ、カットテープ４の一端４１を挟むように一対の切込み１０，１０が形成される一方、カットテープ４の他端側では、カットテープ４は表面材５及び裏面材６と共に接合され、表面材５及び裏面材６に、カットテープ４の他端４２を挟むように一対の切込み１１，１１が形成される。【選択図】  図１
2005138845.tif 000002
【特許請求の範囲】
【請求項１】
上部開放で有底の袋本体内に食品を収納できるようにした包装袋であって、
前記袋本体の側壁の内周面には、前記袋本体を上下に分割するためのカットテープが横方向の全周にわたって貼り付けられていることを特徴とする包装袋。
【請求項２】
前記袋本体の側壁が、両側部で互いに接合される表面材と裏面材からなり、前記表面材と裏面材の内側に、前記カットテープが貼り付けられ、開封端となる前記カットテープの一端側では、前記表面材にのみ、前記カットテープの一端を挟むように切込みが形成される一方、前記カットテープの他端側では、前記カットテープは前記表面材及び裏面材と共に接合され、前記表面材及び裏面材に、前記カットテープの他端を挟むように切込みが形成されることを特徴とする請求項１に記載の包装袋。
【請求項３】
前記カットテープは、両面ヒートシール性を有していることを特徴とする請求項１又は２に記載の包装袋。
【請求項４】
前記カットテープは、片面ヒートシール性を有し、前記カットテープの他端側には、前記表面材に貼り付けられたカットテープと、前記裏面材に貼り付けられたカットテープと、を接合するための溶断孔が形成されることを特徴とする請求項２に記載の包装袋。
【請求項５】
前記カットテープの一端側における前記側壁との接合部は、前記切込みを迂回するようにコの字状に形成されることを特徴とする請求項１乃至４の何れかに記載の包装袋。
【請求項６】
前記側壁は、紙様シートの裏面にヒートシール性のある合成樹脂シートを一体化してなることを特徴とする請求項１乃至５の何れかに記載の包装袋。
【請求項７】
前記側壁は、ヒートシール性のない合成樹脂シートの裏面にヒートシール性のある合成樹脂シートを一体化してなることを特徴とする請求項１乃至５の何れかに記載の包装袋。
【請求項８】
前記表面材又は裏面材の何れか一方が、紙様シートの裏面にヒートシール性のある合成樹脂シートを一体化してなり、他方が、ヒートシール性のない合成樹脂シートの裏面にヒートシール性のある合成樹脂シートを一体化してなることを特徴とする請求項２乃至５の何れかに記載の包装袋。
【請求項９】
前記側壁が、半折れ状態に折り返されて両端縁が接合されることにより上下方向の接合部が形成される一枚のシートからなることを特徴とする請求項１，３又は５乃至７の何れかに記載の包装袋。
【請求項１０】
開封端となる前記カットテープの一端側では、表面側のシートにのみ前記カットテープの一端を挟むように切込みが形成される一方、前記カットテープの他端側では、前記カットテープは表裏両面のシートと接合され、前記表裏両面のシートに、前記カットテープの他端を挟むように切込みが形成されることを特徴とする請求項９に記載の包装袋。
【請求項１１】
前記袋本体の底は、折り畳み自在なガゼット部からなることを特徴とする請求項１乃至９の何れかに記載の包装袋。
【請求項１２】
前記ガゼット部が前記側壁に連なる山折れ線縁部は、ヒートシールにより硬化されることを特徴とする請求項１１に記載の包装袋。
【発明の詳細な説明】
【技術分野】
【０００１】
本発明は、おにぎりやサンドイッチ、ケーキ等の食品を好適に包装しうる包装袋に関する。
【背景技術】
【０００２】
おにぎり等の各種食品を包装するための包装袋は、例えば、図１１に示されるようなものが従来から知られている。この包装袋１００は、表装材の裏面側にポリエチレン等の熱可塑性合成樹脂からなるフィルムが溶着されてなる一枚のシート体を折り畳み、互いに折り重なった上部端縁が溶着されることによって形成されている。
【０００３】
かかる包装袋１００は、その下縁部におにぎりＲを挿入するための開口１０２が設けられ（図１１では開口１０２が閉止された状態を示している）、この開口１０２からおにぎりＲを包装袋１００内に挿入した後、当該包装袋１００の下部を折り曲げて粘着テープ等で貼着することにより、おにぎりＲが包装袋１００内に包装された状態となる。
【０００４】
かかる包装袋１００の上部端縁に形成された溶着部１０１には、開封の端緒となるＵ字状に形成された切り口１０３が設けられている。そして、この切り口１０３を挟んで両側の溶着部１０１をそれぞれ指で摘み、互いに反対方向に向けて引っ張ることにより包装袋１００が破袋し、これによって包装袋１００から内部のおにぎりＲを取り出し得るようになっている。
【０００５】
このような包装袋１００にあっては、開封時には、包装袋１００の上端の溶着部１０１における左右の端部をそれぞれ指で摘んで互いに反対方向に引っ張るようにする。そうすると、図示のように、破断線が円弧状になって上下方向の略中間位置で包装袋１００の側部に到ってしまい、これによって破断片１０４を包装袋１００の本体から引きちぎっても包装袋１００の上隅部のみしか開口できず、おにぎりＲをスムーズに取り出すことができない。
【０００６】
そこで、本件出願人は、このように、袋本体の一部のみが裂けることによりおにぎり等の食品の取り出し操作が困難になるような不具合を確実に防止し、袋本体の全面をスムーズに切断開封し得るようにして常に食品を容易に取り出せるようにした包装袋を提案している（例えば、特許文献１参照）。
【０００７】
この包装袋は、図１２に示すように、上端縁にシール部２０１を有する下端開放型の袋本体であって、前記上端縁には、袋本体を切断するための切り口２０２が設けられ、且つ袋本体内には前記切り口２０２を起点とした切断方向の少なくとも一方側に切断方向のずれ防止用テープ２０３を設けている。
【０００８】
袋本体のシール部２０１に設けられた切り口２０２を介してその外側部分をそれぞれ指で摘み互いに反対方向に引っ張ることにより、袋本体は切り口２０２を起点としてその部分から切断していく。そして、袋本体には、その切り口近傍から切断方向に向けて延びるずれ防止用テープ２０３が設けられているため、これによる誘導で袋本体がずれ防止用テープ２０３を横断して裂けるようなことは起こらず、従って、従来のように袋本体の一部のみが破断するような不具合が確実に防止され、常にずれ防止用テープ２０３に沿って破断開口が形成される。
【０００９】
そして、ずれ防止用テープ２０３に沿う破断開口の大きさを、予め食品Ｒを容易に取り出し得る寸法に設定しておくことにより、切り口２０２を介して二つに引き裂かれた袋本体から食品Ｒを容易に取り出すことが可能になり、一部分しか破断しないことにより破断開口から食品Ｒを容易に取り出し得なくなるような従来の不具合は解消される。
【特許文献１】特開２００３−２９１９８６号公報
【発明の開示】
【発明が解決しようとする課題】
【００１０】
しかしながら、上記従来例（特許文献１）の場合、破断開口から食品Ｒをスムーズに取り出すことができても、少なくとも、その食品Ｒを食するためには、一旦手で持たなければならなかった。そのため、衛生上の問題があった。この点に関し、その食品Ｒを袋本体の残部（図示省略）にその大部分を収納したままの状態で、横の部分から食したり、袋本体の残部を下に向けて食品Ｒを支えて食する等の対応も可能ではある。
【００１１】
しかし、このような食べ方はあまり体裁がよくない。また、通常、包装袋内に収納される食品類は上下が明確に区別されている。特に、トッピング類を上部に載せたものは、包装された状態で明確に上部を上に向けて収納されており、そのままの姿勢で食するのが食感上及び体裁上からも好ましい。
【００１２】
また、上記従来例（特許文献１）のように、袋本体を縦方向に引き裂く場合、食品Ｒを避けるために、側部寄りの位置でしか引き裂くことができなかった。従って、食品Ｒの大部分を残部に残したままの状態でしか開封することができないため、食欲をそそる美観を楽しむこともできず、その開封状態は好ましいものではなかった。
【００１３】
本発明は、このような実情に鑑みてなされ、袋本体をスムーズに良好な状態で開封でき、かつ、食品を手で持たずに、包装袋の一部に載せて賞味することができる包装袋を提供することを目的とする。
【課題を解決するための手段】
【００１４】
（１）本発明に係る包装袋は、上部開放で有底の袋本体内に食品を収納できるようにした包装袋であって、前記袋本体の側壁の内周面には、前記袋本体を上下に分割するためのカットテープが横方向の全周にわたって貼り付けられていることを特徴とする。
【００１５】
このように構成すれば、カットテープにより、袋本体を上下に分割して、上部を取り除けば、下部に食品を載せた状態で開封することができる。従って、その食品を手に持つことなく、そのままの状態で食することができるため、衛生的であり、かつ、体裁もよい。また、食品の全周が取り除かれた開封状態となるため、見栄えのある外観を楽しみつつ賞味することができる。
【００１６】
（２）このような包装袋では、前記袋本体の側壁が、両側部で互いに接合される表面材と裏面材からなり、前記表面材と裏面材の内側に、前記カットテープが貼り付けられ、開封端となる前記カットテープの一端側では、前記表面材にのみ、前記カットテープの一端を挟むように切込みが形成される一方、前記カットテープの他端側では、前記カットテープは前記表面材及び裏面材と共に接合され、前記表面材及び裏面材に、前記カットテープの他端を挟むように切込みが形成されるようにするのが好ましい。
【００１７】
このように構成すれば、袋本体の側壁を、表面材から裏面材にかけてカットテープを回り込ませるようにして、上下に引き裂くことができ、袋本体を確実に上下に分割することができる。なお、上記「切込み」とは、切込み線、切り割り線、Ｖノッチ、Ｕノッチ等を含む開封が容易となるように加工された部分をいう。
【００１８】
（３）前記カットテープは、両面ヒートシール性を有していることが好ましい。このように構成すれば、表面材に貼り付けられたカットテープの他端（内面）と、裏面材に貼り付けられたカットテープの他端（内面）と、が表面材及び裏面材と三位一体となって接合されるため、袋本体の開封時に、カットテープの他端を、表面側から裏面側に確実に回り込ませることができ、これにより、カットテープを境として、袋本体を確実に上下に分割することができる。
【００１９】
（４）前記カットテープは、片面ヒートシール性を有し、前記カットテープの他端側に、前記表面材に貼り付けられたカットテープと、前記裏面材に貼り付けられたカットテープと、を接合するための溶断孔を形成するのが好ましい。このように構成すれば、表面材に貼り付けられたカットテープの他端と、裏面材に貼り付けられたカットテープの他端と、を表面材及び裏面材と共に、三位一体として接合することができる。従って、袋本体の開封時に、カットテープの他端を、表面側から裏面側に確実に回り込ませることができ、これにより、カットテープを境として、袋本体を確実に上下に分割することができる。
【００２０】
（５）前記カットテープの一端側における前記側壁との接合部は、前記切込みを迂回するようにコの字状に形成されることが好ましい。このように構成すれば、開封起点となるカットテープの一端側では、まず、表面側の側壁（表面材）のみを引き裂くことができ、次いで、裏面側の側壁（裏面材）を引き裂くことにより、手順よく袋本体を上下に分割することができる。
【００２１】
（６）前記側壁は、紙様シートの裏面にヒートシール性のある合成樹脂シートを一体化して形成してもよい。このように構成すれば、紙様シートの表面に食感をそそるような意匠性に富んだ印刷等を施して顧客吸引力を向上させることができる。なお、本発明でいう一体化とは、接着剤を用いて両シートをラミネートする場合、紙様シートにヒートシール性のある合成樹脂シートを溶着又は塗着する場合等を含む。この点については、以下の発明においても同様である。
【００２２】
（７）前記側壁は、ヒートシール性のない合成樹脂シートの裏面にヒートシール性のある合成樹脂シートを一体化して形成してもよい。この場合、透明なシートを選択すれば、トッピング類を載せた食品、例えば、寿司やケーキ、ピザ等を外から確認することができる。また、透明なヒートシール性のない合成樹脂シートに意匠性に富んだ印刷等を施して顧客吸引力を向上させることもできる。
【００２３】
（８）前記表面材又は裏面材の何れか一方が、紙様シートの裏面にヒートシール性のある合成樹脂シートを一体化してなり、他方が、ヒートシール性のない合成樹脂シートの裏面にヒートシール性のある合成樹脂シートを一体化してもよい。この場合、紙様シートの表面に意匠性に富んだ印刷等を施して顧客吸引力を向上させると共に、合成樹脂シートに透明なものを選択すれば、内部の食品を外から確認することができる。
【００２４】
（９）前記袋本体の側壁を、半折れ状態に折り返されて両端縁が接合されることにより上下方向の接合部が形成される一枚のシートで形成してもよい。この場合、底部（例えば、ガゼット部）は両シート間に挿入してヒートシール等により接合すればよい。
【００２５】
（１０）開封端となる前記カットテープの一端側では、表面側のシートにのみ前記カットテープの一端を挟むように切込みが形成される一方、前記カットテープの他端側では、前記カットテープは表裏両面のシートと接合され、前記表裏両面のシートに、前記カットテープの他端を挟むように切込みが形成されるようにするのが好ましい。
【００２６】
（１１）以上のように構成される包装袋では、前記袋本体の底を折り畳み自在なガゼット部で構成してしもよい。このように構成すれば、襠の設定が容易となり、かつ、多数枚の包装袋を折り畳んだ状態でコンパクトに積み重ねることができる。
【００２７】
（１２）前記ガゼット部が前記側壁に連なる山折れ線縁部を、ヒートシールにより硬化してもよい。このように構成すれば、包装袋の底の保形性を向上させることができ、安定な状態で陳列することができる。また、開封後にも、食品を安定に保持した状態で食することができる。
【発明の効果】
【００２８】
本発明に係る包装袋は、カットテープにより、袋本体を、上下に分割することができるので、上部を取り除いて、下部に食品を載せた状態で開封することができる。従って、その食品を手に持つことなく、そのままの状態で食することができるため、衛生的であり、かつ、体裁もよい。また、食品の全周が取り除かれた開封状態となるため、見栄えのある外観を楽しみつつ賞味することができる。
【発明を実施するための最良の形態】
【００２９】
以下に、本発明の最良の実施の形態に係る包装袋について図面を参照しつつ詳細に説明する。
図１は包装袋１Ａの正面図、図２は内側から見た袋本体の展開図、図３は食品（例えば、おにぎり）Ｒを収納した状態の包装袋１Ａの斜視図、図４はおにぎりＲを収納した状態の正面図である。これらの図に示すように、この包装袋１Ａは、上部開放で有底の袋本体２内に食品Ｒを収納でき、その袋本体２の側壁３の内周面には、カットテープ４が横方向の全周にわたって貼り付けられ、そのカットテープ４を境として、袋本体２が上下に分割可能に構成されている（図５（ｄ）参照）。
【００３０】
より詳しく説明すると、袋本体２の側壁３は、両側部（接合部）３１，３２で互いにヒートシールされた表面材５と裏面材６からなり、その表面材５と裏面材６の内面に、両面ヒートシール性を有するカットテープ４が貼り付けられている。その表面材５及び裏面材６は、例えば、紙様シートの裏面にヒートシール性のある合成樹脂シートを一体化したもの等を用いることができ、その紙様シートには、例えば、食感をそそるような意匠性に富んだグラビヤ印刷等を施して顧客吸引力を向上させることができる。
【００３１】
そのヒートシール性のある合成樹脂シートには、例えば、ポリエチレン系樹脂シート（ＰＥ）やポリプロピレン系樹脂シート（ＰＰ）等を用いることができる。なお、上記「一体化」とは、接着剤を用いて両シートをラミネートする場合、紙様シートにヒートシール性のある合成樹脂シートを溶着又は塗着する場合等をいう。この点については、以下の各実施の形態においても同様である。
【００３２】
この包装袋１Ａの開封起点となるカットテープ４の一端側（図１の左側）では、表面材５にのみ、カットテープ４の一端４１を挟むように一対の切込み１０，１０を形成し、その部分における表面材５と裏面材６の接合部３１１は、その切込み１０，１０を迂回するように、内側に向けてコの字状に形成されている。このように構成することで、開封起点で、まず、表面材５のみを上下に引き裂くことができる。
【００３３】
他方、カットテープ４の他端側（図１の右側）では、表面材５に貼り付けられたカットテープ４の他端４２と、裏面材６に貼り付けられたカットテープ４の他端４２と、が表面材５及び裏面材６と三位一体となって接合される（カットテープ４の両面ヒートシール性による）。そして、そのカットテープ４の他端４２を挟むように、表面材５及び裏面材６の接合部３２に一対の切込み１１，１１が形成されており、その接合部３２１は、内側に向けて突出した矩形状に形成されている。このような構成により、袋本体２の開封時には、カットテープ４の他端４２を、表面側から裏面側に確実に回り込ませることができ、これにより、カットテープ４を境として、袋本体２を確実に上下に分割することができる。
【００３４】
また、カットテープ４が片面ヒートシール性を有する場合には、例えば、図６に部分的に拡大して示すように、カットテープ４の他端４２に溶断孔ｈを形成することにより、表面材５に貼り付けられたカットテープの他端４２の内面と、裏面材６に貼り付けられたカットテープ４の他端４２の内面と、を接合することができる。この溶断孔ｈの施工は、表面材５と裏面材６を接合部３２で接合した後に行えばよい。その溶断孔ｈはレーザーで形成することもできる。また、このような溶断孔ｈを形成する他に、例えば、接着剤を用いてカットテープの他端４２同士を接合してもよい。
【００３５】
上述の切込み１０，１１は、図示のような切込み線や切り割り線の他、Ｖノッチ、Ｕノッチ等（図示省略）を含む開封が容易となるように加工された部分をいう。また、開封起点となるカットテープ４の一端側で、表面材５に形成する一対の切込み１０，１０は、表面材５と裏面材６の両側部３１，３２を接合する前に形成し、カットテープ４の他端側に形成される切込み１１，１１は、表面材５と裏面材６を接合した後に形成すればよい。また、その一対の切込み１０，１０、１１，１１に代えて、例えば、カットテープ４の端部を囲むように円弧状に形成された切込みであってもよい。
【００３６】
そして、本実施の形態１では、図２に示すように、袋本体２を一枚のシートで構成し、表面材５と裏面材６に連なる底部９を折り畳み自在なガゼット部（底ガゼット）で構成している。そのガゼット部９は、中央の谷折れ線９１の両側に内底面９１１，９１１を備え、その内底面９１１，９１１が、山折れ線９２，９２を介して、表面材５と裏面材６の下部に形成された残部（上下に分割した時に後に残る部分）５１，６１に連続しており、その内底面９１１，９１１と残部５１，６１の両側が、山折れ線９２，９２を介して、略Ｖ字状に切り込まれている。
【００３７】
このように構成される包装袋１Ａでは、図３に示すように、ガゼット部９を開いた状態で縦置状態に載置することができ、その上部開口７からおにぎりＲを内部に収納することができる。内部に収納されたおにぎりＲは、その底部が、ガゼット部９の内底面９１１，９１１で支持され、図４に示すように、その上部を上に向けた安定な状態が保持される。その上部開口７は、表面材５と裏面材６の上部を折り込んで粘着テープやシール、ラベル等で封止され、この状態で店頭に陳列することができる。なお、上述のように、袋本体２の底部をガゼット部９で構成したことにより、襠の設定が容易となり、かつ、多数枚の包装袋１Ａを折り畳んだ状態（おにぎりＲを収納する前）でコンパクトに積み重ねることができる。
【００３８】
そして、ユーザーがおにぎりＲを購入して食する場合には、例えば、図５（ａ）〜図５（ｄ）に示すように、カットテープ４を一端４１から引き剥がすことによって、袋本体２を上下に分割することができる。即ち、まず、開封端となるカットテープ４の一端４１を摘んで手前側から他端４２に向けて引き裂き（図５（ａ））、その他端４２から裏側に回して（図５（ｂ））、さらに一端側に向けて引き裂けば（図５（ｃ））、おにぎりＲをガゼット部９に支えられた状態で取り出すことができる（図５（ｄ））。
【００３９】
以上のように、おにぎりＲを直接手に持つことなく、また、おにぎりＲを変形させることなく、そのままの状態で取り出して食することができるため、衛生的であり、かつ、体裁もよい。また、おにぎりＲの全周が取り除かれるため、その開封状態がきわめて良好であり、おにぎりＲの見栄えのある外観を楽しみつつ賞味することができる。なお、図５（ｄ）に示すように、残部５１，６１がガゼット部９と共に残るため、ガゼット部９の保形性が向上し、かつ、具や添え物等（図示省略）をこぼさないようにすることができる。
【００４０】
図７は、ガゼット部９の保形性をさらに向上させた例を示す。この包装袋１Ｂの場合、図示のように、ガゼット部９の内底面９１１，９１１と残部５１，６１との間の山折れ線９２，９２の縁部（山折れ線縁部) をヒートシールして、その山折れ線９２，９２の縁部の剛性を向上させている。なお、この山折れ線９２，９２の部分は、シールを要する箇所ではなく、もっぱら剛性の向上のみを目的としている。このように構成すれば、ガゼット部９の保形性をより一層向上させることができ、安定な状態で陳列することができる。また、開封後にも、おにぎりＲを安定に保持した状態で食することができる。
【００４１】
図８及び図９は、ガゼット部９を構成する内底面９１１，９１１と残部５１，６１の両側をストレートに形成した例を示す。この場合においても、 前各実施の形態と同様に、カットテープ４により、内部に収納したおにぎりＲをそのままの状態で取り出し、直接手に持つことなく、また、おにぎりＲを変形させることなく、食することができる。なお、この場合には、ガゼット部９の山折れ線９２，９２が前各実施の形態の場合よりも長く形成されるため、陳列状態での安定性が向上する。
【００４２】
そして、図示は省略するが、表面材５及び裏面材６を、（例えば、透明な）ヒートシール性のない合成樹脂シートの裏面にヒートシール性のある合成樹脂シートを一体化することにより形成してもよい。このように構成すれば、トッピング類を載せた食品類等を外から確認することができる。また、その表面材５に意匠性に富んだ印刷等を施して顧客吸引力を向上させることもできる。その透明なヒートシール性のない合成樹脂シートとして、例えば、二軸延伸ポリプロピレンフィルム（ＯＰＰ）等を用いることができる。
【００４３】
さらに、図示は省略するが、表面材５又は裏面材６の何れか一方を、紙様シートの裏面にヒートシール性のある合成樹脂シートを一体化して形成し、他方を、（例えば、透明な）ヒートシール性のない合成樹脂シートの裏面にヒートシール性のある合成樹脂シートを一体化して形成してもよい。このように構成すれば、紙様シートの表面に意匠性に富んだ印刷等を施して顧客吸引力を向上させると共に、透明な合成樹脂シートを透して内部の食品を外から確認することができる。なお、この場合、表面材５と裏面材６及びガゼット部９を、それぞれ別々の原反からヒートシール工程に繰り出させるような製造方法を採用すればよい。
【００４４】
また、図示は省略するが、袋本体の側壁を、（例えば、透明な）ヒートシール性のない少し剛性のある合成樹脂シート（ＯＰＰ等）の裏面にヒートシール性のある合成樹脂シートを一体化した一枚のシートを一側部で接合（縦方向のヒートシール）した構成として、その接合部を開封起点とするカットテープをシートの内面全周にわたり貼り付け、そのカットテープにより、袋本体を上下に分割できるようにしてもよい。
【００４５】
このような構成では、カットテープの開封端側にのみ切込みを形成すればよい。このような構成により、トッピング類を載せた見栄えのある比較的に大きな食品類、例えば、ケーキやピザ等を外から確認することができる。また、透明なヒートシール性のない合成樹脂シートに意匠性に富んだ印刷等を施して顧客吸引力を向上させることもできる。
【００４６】
また、袋本体２の側壁３を、例えば、図１０（ａ）〜（ｄ）に示すように、半折れ状態に折り返されて両端縁が接合されることにより上下方向の接合部（３１）が形成される一枚のシート８で形成してもよい。この場合、開封端となるカットテープ（両面ヒートシール性を有する）４の一端側では、表面側のシート８１にのみカットテープ４の一端４１を挟むように切込み１０，１０が形成される。なお、図１０（ｃ）では、裏面側のシートを８２で示す。このシート８は、例えば、ヒートシール性のないシート（表面）にヒートシール性のあるシート（裏面）を一体化させたものを用いることができる。
【００４７】
その製袋工程について説明すると、まず、シート８の内側にカットテープ４を横方向（シート８の長手方向）に貼り付ける。この時、開封端となるカットテープ４の一端４１を挟むように、切込み１０，１０を形成する（図１０（ａ））。次いで、シート８と同じ素材からなるガゼット部９を半折れ状態として両シート８１，８２の間に挿入する（図１０（ｂ）（ｃ））。次に、両シート８１，８２の両側部３１，３２をヒートシールし、ガゼット部９の端縁と両シート８１，８２の下端縁とをヒートシールする。これにより、側壁３の下部にガゼット部９を一体化することができ、かつ、山折れ線９２，９２の縁部（山折れ線縁部) の剛性を向上させることができる。そして、カットテープ４の他端４２を挟むように、表裏両シート８１，８２に切込み１１，１１を形成すれば工程は終了する（図１０（ｄ））。
【００４８】
上述の図１０（ｄ）に示す工程で、両シート８１，８２の他端部３２をヒートシールするのは、封止のためではなく、カットテープ４の他端側において、表裏両シート８１，８２に貼り付けられたカットテープ４の他端（内面）４２，４２同士を接合するためであり、これにより、開封時に、カットテープ４を裏面側に確実に回り込ませて、袋本体２を上下に確実に分割することができる。また、その他端部３２をヒートシールすることにより、袋本体２の左右の強度バランスを良好に確保することができる。なお、袋本体２の側壁３の断面形状を円形や楕円形等に形成する場合には、上下方向の接合部３１のみを形成すればよい。また、カットテープ７が片面ヒートシール性を有する場合には、前述したように、溶断孔ｈ（図６参照）を形成するか、接着剤等を用いてカットテープ４の他端（内面）４２，４２同士を接合すればよい。
【図面の簡単な説明】
【００４９】
【図１】本発明の実施の形態に係る包装袋の正面図である。
【図２】同袋本体の展開図である。
【図３】同包装袋の斜視図である。
【図４】同食品を収納した状態の包装袋の正面図である。
【図５】同包装袋を開封する手順の説明図で、（ａ）は開封初期の状態、（ｂ）はカットテープの他端を裏側に回し込んだ状態、（ｃ）は開封終了直前の状態、（ｄ）は袋本体をを上下に分割した開封終了時の状態、を示す。
【図６】同片面ヒートシール性を有するカットテープの他端を溶断孔で接合する場合の説明図である。
【図７】同包装袋の別の実施の形態を示す正面図である。
【図８】同包装袋の異なる実施の形態を示す正面図である。
【図９】同袋本体の展開図である。
【図１０】同製袋工程の説明図で、（ａ）はシートにカットテープを貼り付け、切込みを形成した状態、（ｂ）はガゼット部の平面図、（ｃ）は半折れにしたシート内に底ガゼットを挿入する工程、（ｄ）は工程終了時の状態、を示す。
【図１１】従来の包装袋を開封している例の説明図である。
【図１２】従来の別の包装袋の斜視図である。
【符号の説明】
【００５０】
１Ａ，１Ｂ，１Ｃ…包装袋、２…袋本体、３…側壁、４…カットテープ、５…表面材、６…裏面材、８…シート、９…ガゼット部、１０，１１…切込み、３１，３２…側部、４１…一端、４２…他端、３１１…接合部、Ｒ…食品
【図１】
2005138845.tif 000003
【図２】
2005138845.tif 000004
【図３】
2005138845.tif 000005
【図４】
2005138845.tif 000006
【図５】
2005138845.tif 000007
【図６】
2005138845.tif 000008
【図７】
2005138845.tif 000009
【図８】
2005138845.tif 000010
【図９】
2005138845.tif 000011
【図１０】
2005138845.tif 000012
【図１１】
2005138845.tif 000013
【図１２】
2005138845.tif 000014